(57)【特許請求の範囲】
【請求項１】
一方のコネクタと他方のコネクタとを有するコネクタであって、
前記一方のコネクタは、導電性材料により形成された複数のプラグコンタクトと、絶縁体により形成されているプラグ側可動部とを有しており、
前記プラグコンタクトには、中央部分に凸状のプラグ側接触部が形成されており、前記プラグ側可動部は、複数の前記プラグコンタクトと接続されており、前記プラグ側可動部は各々の前記プラグ側接触部と一体で可動するものであって、
前記他方のコネクタは、導電性材料により形成された複数のソケットコンタクトと、絶縁体により形成されたソケット側可動部とを有しており、
前記ソケットコンタクトには、中央部分に前記プラグ側接触部と接触するソケット側接触部が形成されており、前記ソケット側可動部は、複数の前記ソケットコンタクトと接続されており、前記ソケット側可動部は各々の前記ソケット側接触部と一体で可動するものであって、
前記プラグ側接触部と前記ソケット側接触部とが接触することにより前記一方のコネクタと前記他方のコネクタとが電気的に接続されるものであって、
前記プラグ側可動部は前記プラグコンタクトの両端部に対して移動し、前記ソケット側可動部は前記ソケットコンタクトの両端部に対して移動可能であることを特徴とするコネクタ。
【請求項２】
前記プラグコンタクトは、中央部分にプラグ側接触部が形成され、前記プラグコンタクトの両側はプラグ側固定部により固定されており、
前記ソケットコンタクトは、中央部分にソケット側接触部が形成され、前記ソケットコンタクトの両側はソケット側固定部により固定されていることを特徴とする請求項１に記載のコネクタ。
【請求項３】
前記プラグ側固定部にはプラグ側ガイドが設けられており、
前記ソケット側固定部にはソケット側ガイドが設けられており、
前記一方のコネクタと前記他方のコネクタとを接続する際には、プラグ側ガイド及びソケット側ガイドのうちいずれか一方が他方に入り込むものであることを特徴とする請求項２に記載のコネクタ。
【請求項４】
前記一方のコネクタは、前記プラグ側固定部により一方の基板と接続されており、
前記他方のコネクタは、前記ソケット側固定部により他方の基板と接続されていることを特徴とする請求項２または３に記載のコネクタ。
【請求項５】
前記プラグ側可動部及び前記ソケット側可動部は、前記プラグ側接触部と前記ソケット側接触部との接触面に対し略垂直に可動するものであって、
前記一方のコネクタに対し前記他方のコネクタ、又は、前記他方のコネクタに対し前記一方のコネクタを前記接触面に対し略平行に移動させることにより、前記プラグ側接触部と前記ソケット側接触部とを接触させるものであることを特徴とする請求項１から４のいずれかに記載のコネクタ。
【請求項６】
前記一方のコネクタにおいて、前記プラグコンタクトは、移動方向に伸びるように設置されており、
前記他方のコネクタにおいて、前記ソケットコンタクトは、前記移動方向に伸びるように設置されていることを特徴とする請求項５に記載のコネクタ。
【請求項７】
前記一方のコネクタにおいて、複数の前記プラグコンタクトは、前記プラグ側接触部が、前記移動方向に対し略垂直に並ぶように配置されていることを特徴とする請求項６に記載のコネクタ。
【請求項８】
第１のコネクタと、前記第１のコネクタに接続可能な第２のコネクタと、を備えたコネクタにおいて、
前記第１のコネクタは、
導電性材料で形成され、両端部が第１の基板に接続され、中央部に第１接触部を有する第１のコンタクトと、
絶縁性材料で形成され、前記第１のコンタクトに接続され、前記第１のコンタクトとともに前記第１の基板に対して移動可能な第１可動部と、を有し、
前記第２のコネクタは、
導電性材料で形成され、両端部が第２の基板に接続され、中央部に前記第１接触部と接触する第２接触部を有する第２のコンタクトと、
絶縁性材料で形成され、前記第２のコンタクトに接続され、前記第２のコンタクトとともに前記第２の基板に対して移動可能な第２可動部と、を有することを特徴とするコネクタ。
【請求項９】
それぞれ平行に配置され、前記第１可動部に接続される複数の第１のコンタクトと、
それぞれ平行に配置され、前記第２可動部に接続される複数の第２のコンタクトと、
を有することを特徴とする請求項８に記載のコネクタ。
【発明の詳細な説明】
【技術分野】
【０００１】
本発明は、コネクタに関する。
【背景技術】
【０００２】
電気的な接続を行う際にはコネクタが用いられており、一方のコネクタに設けられた接触端子と他方のコネクタに設けられた接触端子とが接触することにより、電気的に接続される。即ち、一方のコネクタがプラグコネクタとなり、他方のコネクタがジャックコネクタとなり、一方のコネクタと他方のコネクタとが嵌合することに接続される。この際、嵌合される方向に沿って一方のコネクタ又は他方のコネクタを移動させる必要があり、コネクタの接続をするためには一定の空間が必要であった。
【先行技術文献】
【特許文献】
【０００３】
【特許文献１】特開平５−８２２０８号公報
【特許文献２】特開２００３−３１３０１号公報
【発明の概要】
【発明が解決しようとする課題】
【０００４】
ところで、一方のコネクタと他方のコネクタとを接続するために必要となる空間を狭くすることができれば、狭い領域においてもコネクタによる接続を行なうことができる。また、接続端子が多く設けられているコネクタは大型なものとなるため、接続するために必要となる空間も広くなる傾向にある。よって、接続端子が多く設けられているコネクタにおいては、コネクタの接続に必要とされる空間を狭くすることが望まれている。
【０００５】
本発明は、複数の接続端子を有するコネクタであって、一方のコネクタと他方のコネクタとを接続するために必要となる空間を狭くすることができ、接続が容易なコネクタを提供することを目的とする。
【課題を解決するための手段】
【０００６】
本発明は、一方のコネクタと他方のコネクタとを有するコネクタであって、前記一方のコネクタは、導電性材料により形成された複数のプラグコンタクトと、絶縁体により形成されているプラグ側可動部とを有しており、前記プラグコンタクトには、中央部分に凸状のプラグ側接触部が形成されており、前記プラグ側可動部は、複数の前記プラグコンタクトと接続されており、前記プラグ側可動部は各々の前記プラグ側接触部と一体で可動するものであって、前記他方のコネクタは、導電性材料により形成された複数のソケットコンタクトと、絶縁体により形成されたソケット側可動部とを有しており、前記ソケットコンタクトには、中央部分に前記プラグ側接触部と接触するソケット側接触部が形成されており、前記ソケット側可動部は、複数の前記ソケットコンタクトと接続されており、前記ソケット側可動部は各々の前記ソケット側接触部と一体で可動するものであって、前記プラグ側接触部と前記ソケット側接触部とが接触することにより前記一方のコネクタと前記他方のコネクタとが電気的に接続されるものであって、前記プラグ側可動部は前記プラグコンタクトの両端部に対して移動し、前記ソケット側可動部は前記ソケットコンタクトの両端部に対して移動可能であることを特徴とする。
【０００７】
また、本発明は、前記プラグコンタクトは、中央部分にプラグ側接触部が形成され、前記プラグコンタクトの両側はプラグ側固定部により固定されており、前記ソケットコンタクトは、中央部分にソケット側接触部が形成され、前記ソケットコンタクトの両側はソケット側固定部により固定されていることを特徴とする。
【０００８】
また、本発明は、前記プラグ側固定部にはプラグ側ガイドが設けられており、前記ソケット側固定部にはソケット側ガイドが設けられており、前記一方のコネクタと前記他方のコネクタとを接続する際には、プラグ側ガイド及びソケット側ガイドのうちいずれか一方が他方に入り込むものであることを特徴とする。
【０００９】
また、本発明は、前記一方のコネクタは、前記プラグ側固定部により一方の基板と接続されており、前記他方のコネクタは、前記ソケット側固定部により他方の基板と接続されていることを特徴とする。
【００１０】
また、本発明は、前記プラグ側可動部及び前記ソケット側可動部は、前記プラグ側接触部と前記ソケット側接触部との接触面に対し略垂直に可動するものであって、前記一方のコネクタに対し前記他方のコネクタ、又は、前記他方のコネクタに対し前記一方のコネクタを前記接触面に対し略平行に移動させることにより、前記プラグ側接触部と前記ソケット側接触部とを接触させるものであることを特徴とする。
【００１１】
また、本発明は、前記一方のコネクタにおいて、前記プラグコンタクトは、移動方向に伸びるように設置されており、前記他方のコネクタにおいて、前記ソケットコンタクトは、前記移動方向に伸びるように設置されていることを特徴とする。
【００１２】
また、本発明は、前記一方のコネクタにおいて、複数の前記プラグコンタクトは、前記プラグ側接触部が、前記移動方向に対し略垂直に並ぶように配置されていることを特徴とする。
また、本発明は、第１のコネクタと、前記第１のコネクタに接続可能な第２のコネクタと、を備えたコネクタにおいて、前記第１のコネクタは、導電性材料で形成され、両端部が第１の基板に接続され、中央部に第１接触部を有する第１のコンタクトと、絶縁性材料で形成され、前記第１のコンタクトに接続され、前記第１のコンタクトとともに前記第１の基板に対して移動可能な第１可動部と、を有し、前記第２のコネクタは、導電性材料で形成され、両端部が第２の基板に接続され、中央部に前記第１接触部と接触する第２接触部を有する第２のコンタクトと、絶縁性材料で形成され、前記第２のコンタクトに接続され、前記第２のコンタクトとともに前記第２の基板に対して移動可能な第２可動部と、を有することを特徴とする。
また、本発明は、それぞれ平行に配置され、前記第１可動部に接続される複数の第１のコンタクトと、それぞれ平行に配置され、前記第２可動部に接続される複数の第２のコンタクトと、を有することを特徴とする。
【発明の効果】
【００１３】
本発明によれば、複数の接続端子を有するコネクタであって、一方のコネクタと他方のコネクタとを接続するために必要となる空間を狭くすることができ、接続が容易なコネクタを提供することができる。
【図面の簡単な説明】
【００１４】
【図１】第１の実施の形態における一方のコネクタの斜視図
【図２】第１の実施の形態における一方のコネクタのプラグコンタクトの斜視図
【図３】第１の実施の形態における他方のコネクタの斜視図
【図４】第１の実施の形態における他方のコネクタのソケットコンタクトの斜視図
【図５】第１の実施の形態における一方のコネクタの構造図
【図６】第１の実施の形態における他方のコネクタの構造図
【図７】第２の実施の形態における一方のコネクタの上面図
【図８】第２の実施の形態における一方のコネクタの側面図
【図９】第２の実施の形態における一方のコネクタの正面図
【図１０】第２の実施の形態における一方のコネクタの断面図
【図１１】第２の実施の形態における他方のコネクタの上面図
【図１２】第２の実施の形態における他方のコネクタの側面図
【図１３】第２の実施の形態における他方のコネクタの正面図
【図１４】第２の実施の形態における他方のコネクタの断面図
【図１５】第２の実施の形態におけるコネクタの接続方法の説明図
【発明を実施するための形態】
【００１５】
本発明を実施するための形態について、以下に説明する。尚、同じ部材等については、同一の符号を付して説明を省略する。
【００１６】
〔第１の実施の形態〕
第１の実施の形態におけるコネクタについて説明する。本実施の形態におけるコネクタは、一方のコネクタ１００と他方のコネクタ２００により形成されている。
【００１７】
（一方のコネクタ）
最初に、一方のコネクタ１００について説明する。一方のコネクタ１００は、図１に示すように、複数のプラグコンタクト１１０が、一列に配列されている。図２に示すように、プラグコンタクト１１０は、細い板状の導電性を有する金属材料等を折曲げることにより形成されており、中央部分に凸状に形成されたプラグ側接触部１１１が設けられており、両側の端部近傍には凹状に形成されたプラグコンタクト固定部１１２が設けられている。プラグコンタクト１１０はバネ性を有しており、両側のプラグコンタクト固定部１１２が固定された状態で、プラグコンタクト固定部１１２とプラグ側接触部１１１との間におけるプラグコンタクト１１０のバネ性により、プラグ側接触部１１１は上下方向、即ち、プラグコンタクト１１０を形成する板面に対し略垂直方向に動くように形成されている。具体的には、プラグ側接触部１１１は、後述するソケット側接触部２１１と接触する接触面に対し略垂直方向に動くように形成されている。
【００１８】
図１に示すように、複数のプラグコンタクト１１０は、プラグコンタクト１１０の延びる方向に対し略垂直方向にプラグ側接触部１１１が並ぶように配置されている。各々のプラグコンタクト１１０は、プラグ側接触部１１１とプラグコンタクト固定部１１２との間で樹脂材料等の絶縁体材料により形成されたプラグ側可動部１２０と接続されている。このように各々のプラグコンタクト１１０とプラグ側可動部１２０とが接続されたものは、例えば、各々のプラグコンタクト１１０を所定の位置に配列させた後、樹脂材料等によりプラグ側可動部１２０を形成し、一体化させることにより形成することができる。
【００１９】
各々のプラグコンタクト１１０における双方のプラグコンタクト固定部１１２は、双方に設けられたプラグ側固定部１３０により固定されている。具体的には、各々のプラグコンタクト１１０は、基板となる不図示のプリント基板等にプラグ側固定部１３０により固定されている。これにより、プラグコンタクト１１０のバネ性により、プラグ側接触部１１１は、プラグ側可動部１２０と一体となり上下方向に可動する。尚、プラグ側固定部１３０は、樹脂材料等の絶縁体材料により形成されている。
【００２０】
（他方のコネクタ）
次に、他方のコネクタ２００について説明する。他方のコネクタ２００は、図３に示すように、複数のソケットコンタクト２１０が、一列に配列されている。図４に示すように、ソケットコンタクト２１０は、細い板状の導電性を有する金属材料等を折曲げることにより形成されており、中央部分に略平らなソケット側接触部２１１が設けられており、両側の端部近傍には凹状に形成されたソケットコンタクト固定部２１２が設けられている。ソケットコンタクト２１０はバネ性を有しており、両側のソケットコンタクト固定部２１２が固定された状態で、ソケットコンタクト固定部２１２とソケット側接触部２１１との間におけるソケットコンタクト２１０のバネ性によりソケット側接触部２１１は上下方向、即ち、ソケットコンタクト２１０を形成する板面に対し垂直方向に動くように形成されている。具体的には、ソケット側接触部２１１は、プラグ側接触部１１１と接触する接触面に対し略垂直方向に動くように形成されている。
【００２１】
図３に示すように、複数のソケットコンタクト２１０は、ソケットコンタクト２１０の延びる方向に対し略垂直方向にソケット側接触部２１１が並ぶように配置されている。各々のソケットコンタクト２１０は、ソケット側接触部２１１とソケットコンタクト固定部２１２との間で樹脂材料等の絶縁体材料により形成されたソケット側可動部２２０と接続されている。このように各々のソケットコンタクト２１０とソケット側可動部２２０とが接続されたものは、例えば、各々のソケットコンタクト２１０を所定の位置に配列させた後、樹脂材料等によりソケット側可動部２２０を形成し、一体化させることにより形成することができる。
【００２２】
各々のソケットコンタクト２１０における双方のソケットコンタクト固定部２１２は、双方に設けられたソケット側固定部２３０により固定されている。具体的には、各々のソケットコンタクト２１０は、基板となる不図示のプリント基板等にソケット側固定部２３０により固定されている。これにより、ソケットコンタクト２１０のバネ性によりソケット側接触部２１１は、ソケット側可動部２２０と一体となり上下方向に可動する。尚、ソケット側固定部２３０は、樹脂材料等の絶縁体材料により形成されている。
【００２３】
（コネクタの接続）
本実施の形態におけるコネクタでは、図５に示されるように、一方のコネクタ１００は、筐体部１５０よりプラグコンタクト１１０のプラグ側接触部１１１が出っ張るように設置されており、図６に示されるように、他方のコネクタ２００は、筐体部２５０よりソケットコンタクト２１０のソケット側接触部２１１が出っ張るように設置されている。このため、一方のコネクタ１００における筐体部１５０と他方のコネクタ２００における筐体部２５０とを近づけることにより、各々に対応するプラグコンタクト１１０のプラグ側接触部１１１とソケットコンタクト２１０のソケット側接触部２１１とが接触し、電気的に接続させることができる。この際、一方のコネクタ１００と他方のコネクタ２００は、一方のコネクタ１００を矢印Ａに示す方向に、または、他方のコネクタ２００を矢印Ｂに示す方向に移動させることにより、接触させ接続することができる（スライド接続）。即ち、一般的には、一方のコネクタ１００を矢印Ｃに示す方向に、または、他方のコネクタ２００を矢印Ｄに示す方向に移動させることにより接触させ接続させるため、一方のコネクタ１００と他方のコネクタ２００とを接続するためには広い空間が必要となる。しかしながら、本実施の形態におけるコネクタでは、一方のコネクタ１００を矢印Ａに示す方向に、または、他方のコネクタ２００を矢印Ｂに示す方向に移動させることにより接触させることができるため、一方のコネクタ１００と他方のコネクタ２００とを接続するために必要な空間を狭くすることができる。
【００２４】
また、この際、プラグコンタクト１１０における凸状のプラグ側接触部１１１が、ソケットコンタクト２１０の表面を擦るため、表面にゴミや腐食物等が堆積していても削り取ることができ、プラグコンタクト１１０とソケットコンタクト２１０との電気的な接続を確実に行なうことができる。
【００２５】
〔第２の実施の形態〕
次に、第２の実施の形態について説明する。本実施の形態は、一方のコネクタ１００及び他方のコネクタ２００にスライド接続を行なうためのガイドを設けた構造のものである。具体的には、図７及び図８に示すように、一方のコネクタ１００のプラグ側固定部１３０の両端に凸状のプラグ側ガイド１３１を設け、図１１及び図１２に示すように、他方のコネクタ２００のソケット側固定部２３０の両端にプラグ側ガイド１３１に対応した形状のソケット側ガイド２３１を設けた構造のものである。尚、図７は本実施の形態における一方のコネクタ１００の上面図であり、図８は側面図であり、図９は正面図であり、図１０は、図７における一点鎖線７Ａ−７Ｂにおいて切断した断面図である。また、図１１は本実施の形態における他方のコネクタ２００の上面図であり、図１２は側面図であり、図１３は正面図であり、図１４は、図１１における一点鎖線１１Ａ−１１Ｂにおいて切断した断面図である。
【００２６】
（コネクタの接続）
次に、本実施の形態におけるコネクタの接続方法について説明する。本実施の形態におけるコネクタは、図１５に示されるように、一方のコネクタ１００は、２つのプラグ側固定部１３０によりプリント基板１６０に固定されており、他方のコネクタ２００は、２つのソケット側固定部２３０によりプリント基板２６０に固定されている。
【００２７】
このため、一方のコネクタ１００のプラグ側接触部１１１はプリント基板１６０に対し略平行に配列されており、他方のコネクタ２００のソケット側接触部２１１はプリント基板２６０に対し略平行に配列されている。よって、一方のコネクタ１００を矢印Ｅに示す方向、または、他方のコネクタ２００を矢印Ｆに示す方向に移動させることにより、一方のコネクタ１００と他方のコネクタ２００とを接続することができる。即ち、プリント基板１６０及びプリント基板２６０に略平行に一方のコネクタ１００または、他方のコネクタ２００を移動させることにより接続させることができる。
【００２８】
更に、本実施の形態では、接続の際、一方のコネクタ１００のプラグ側固定部１３０の両端に設けられたプラグ側ガイド１３１が、他方のコネクタ２００のソケット側固定部２３０の両端に設けられたソケット側ガイド２３１に入り込むようにスライドさせて接続させる。これにより、対応するプラグコンタクト１１０とソケットコンタクト２１０とを確実に接続することができる。
【００２９】
尚、上記以外の内容については、第１の実施の形態と同様である。
【００３０】
以上、本発明の実施に係る形態について説明したが、上記内容は、発明の内容を限定するものではない。
【符号の説明】
【００３１】
１００      一方のコネクタ
１１０      プラグコンタクト
１１１      プラグ側接触部
１１２      プラグコンタクト固定部
１２０      プラグ側可動部
１３０      プラグ側固定部
１３１      プラグ側ガイド
１５０      筐体部
１６０      プリント基板
２００      他方のコネクタ
２１０      ソケットコンタクト
２１１      ソケット側接触部
２１２      ソケットコンタクト固定部
２２０      ソケット側可動部
２３０      ソケット側固定部
２３１      ソケット側ガイド
２５０      筐体部
２６０      プリント基板
【図１】
0005763447.tif 000002
【図２】
0005763447.tif 000003
【図３】
0005763447.tif 000004
【図４】
0005763447.tif 000005
【図５】
0005763447.tif 000006
【図６】
0005763447.tif 000007
【図７】
0005763447.tif 000008
【図８】
0005763447.tif 000009
【図９】
0005763447.tif 000010
【図１０】
0005763447.tif 000011
【図１１】
0005763447.tif 000012
【図１２】
0005763447.tif 000013
【図１３】
0005763447.tif 000014
【図１４】
0005763447.tif 000015
【図１５】
0005763447.tif 000016